(57)【特許請求の範囲】
【請求項１】
ケーシングに収容された羽根車と、該羽根車を回転制御する駆動部と、該ケーシングの吸入口に接続されると共に該羽根車の軸芯と直交位置に配置された吸入ダクトと、該ケーシングの吐出口に接続された吐出ダクトとを備えた遠心形送風機に於いて、前記ケーシングの吸入口を前記吸入ダクトの奥行端部に隣接して接続し、該ケーシングの吸入口開口部の略中央であって、該吸入ダクトの前記羽根車の軸芯方向に対する幅Ｗ３として空間内を区分する分離板の幅Ｗ４と、該分離板に直交する板の幅Ｗ５との関係がＷ４＝（１／１〜１／４）Ｗ３及びＷ５＝（１／２〜１／３）Ｗ３であることを特徴とする遠心形送風機の吸込口配置構造。
【請求項２】
前記ケーシングの吸入口開口部に隣接して閉塞板を吸入ダクトの端部に配置したことを特徴とする請求項１記載の遠心形送風機の吸込口配置構造。
【発明の詳細な説明】
【０００１】
【発明の属する技術分野】
本発明は、ケーシングの吸入口に、羽根車の軸芯と直交する位置に配置された吸入ダクトを接続する場合に於ける遠心形送風機の吸込口配置構造に関する。
【０００２】
【従来の技術】
従来、この種の遠心形送風機の吸込口配置構造は、図７、図８に示すような構成であった。これについて説明すれば、１は略偏心筒形ケーシングであり、吸入口２を側面部に備えている。３は吸入ダクトであり、前記略偏心筒形ケーシング１に内蔵してある羽根車(図示せず)の軸芯と直交位置に配置されている。前記略偏心筒形ケーシング１の吐出側１ａは吐出ダクト４が連結されている。前記構成に於いて、前記羽根車の軸芯、つまり前記吸入口２の中心軸Ｐ１と吸入口２内周面２ａまでの距離Ａ１は、いわゆる当該吸入ダクト空間内２の半径である。また前記吸入口２の内周面２ａから前記吸入ダクト３の端面３ａまでは距離Ａ２である。而して、前記吸入口２の中心軸Ｐ１から前記吸入ダクト３の端面３ａまでの距離Ａ＝Ａ１＋Ａ２の関係が成立する。而して、前記吸入口２は前記吸入ダクト３の奥行端部から離れた位置に設置されている。
【０００３】
しかして、従来の技術によれば、図８に示すように前記吸入ダクト３から流送された吸入気流Ｂ１の風量や前記吐出ダクト４から流出する吐出気流Ｂ２の風量が低下し、当該吐出ダクト４からの吐出気流Ｂ２で所定の風量Ｑを確保することが困難であった。この理由は、図８に示すように、前記吸入口２の内周面２ａから前記吸入ダクト３の端面３ａまでの距離Ａ２で構成される空間領域ＣにＳ１〜Ｓ７の如き気流が発生して、風量低下を惹起することによるものであった。
【０００４】
【発明が解決しようとする課題】
叙上した従来の技術に於ける遠心形送風機の吸込口配置構造は、次の課題が存在した。すなわち、（１）前記吸入口２の内周面２ａから前記吸入ダクト３の端面３ａまでの距離Ａ２で構成される空間領域Ｃが存在するので、これにより、当該空間領域Ｃにおいて、Ｓ１〜Ｓ７の如き気流が発生し、前記吸入ダクト３及び吐出ダクト４に流過する風量を著しく低下させ、所期の風量Ｑを達成することができないと共に所期の風量を確保するためには、前記送風機等を大型化する必要があった。
（２）また、前記空間領域ＣによるＳ１〜Ｓ７の如き気流の発生に伴って、送風機能力が変動し前記吸入ダクト３、前記略偏心筒形ケーシング1、前記羽根車、前記吐出ダクト４等に騒音や振動が発生する問題があり、これを防止するためには別の遮音装置や部材を設備する必要があって、コスト高となる欠点があった。
【０００５】
【課題を解決するための手段】
本発明は、上述した従来の技術に存在する課題を解決するために、前記ケーシングの吸入口に接続されると共に前記羽根車の軸芯と直交位置に配置された吸入ダクトに於いて、該吸入口を前記吸入ダクト端面まで隣接配置させて前記吸入口の内周面から前記吸入ダクトの端面までの距離Ａ２を極力短かく設定して、前記吸入ダクトや吐出ダクトに流過する気流の風量を確保する技術を提供するものであり、次の構成、手段を採用した。
【０００６】
請求項１記載の発明によれば、ケーシングに収容された羽根車と、該羽根車を回転制御する駆動部と、該ケーシングの吸入口に接続されると共に該羽根車の軸芯と直交位置に配置された吸入ダクトと、該ケーシングの吐出口に接続された吐出ダクトとを備えた遠心形送風機に於いて、前記ケーシングの吸入口を前記吸入ダクトの奥行端部に隣接して接続し、該ケーシングの吸入口開口部の略中央であって、該吸入ダクトの前記羽根車の軸芯方向に対する幅Ｗ３として空間内を区分する分離板の幅Ｗ４と、該分離板に直交する板の幅Ｗ５との関係がＷ４＝（１／１〜１／４）Ｗ３及びＷ５＝（１／２〜１／３）Ｗ３であることを特徴とする遠心形送風機の吸込口配置構造である。
【０００７】
請求項２記載の発明によれば、前記ケーシングの吸入口開口部に隣接して閉塞板を吸入ダクトの端部に配置したことを特徴とする請求項１記載の遠心形送風機の吸込口配置構造である。
【０００８】
【発明の実施の形態】
以下本発明に係る遠心送風機の吸込口配置構造の実施の形態について添付図面に基づき説明する。
【０００９】
【発明の実施の形態１】
図１（ａ）（ｂ）は、本発明に係る遠心形送風機の吸込口配置構造の実施の形態１であって、一例を示す図である。（ａ）は平面図、（ｂ）は一部を切欠した側面図である。また、図２はその模式図である。５は、当該遠心形送風機である。６は略偏心筒形ケーシングであって、内部に羽根車６ａを収容している。該略偏心筒形ケーシング６の一方には吸入ダクト７、他方には図１（ｂ）及び図２に示す吐出ダクト９に接続する吐出口８を備えている。前記吸入ダクト７は、前記羽根車６ａの軸芯と直交位置に配置されている。また前記吸入ダクト７は、前記略偏心筒形ケーシング６の吸入口に接続している。１０はモータ等でなる駆動部であって、前記羽根車６ａの回転軸にファンベルト１０ａやプーリによって連結しており、羽根車６ａを回転制御する。
【００１０】
次に、前記遠心形送風機５の吸込口配置構造について、図２に示す模式図に基づき、詳しく説明する。９は吐出ダクトであり、前記略偏心筒形ケーシング６の吐出口８に接続している。前記略偏心筒形ケーシング６は、吸入口１１を設けており、前記吸入ダクト７に接続している。７ａは前記吸入ダクト７の端面であり、前記吸入口１１を隣接配置している。すなわち、前記吸入口１１の内周面１１ａから前記吸入ダクト７の端面７ａまでの距離Ａ３は極めて短く設定している。当該距離Ａ３は設計寸法上可能な限り零にすることが望ましい。すなわち、前記した従来の技術に於ける吸入口２の内周面２ａから吸入ダクト３の端面３ａまでの距離Ａ２とすれば、次の関係式を備えた遠心形送風機５が所定の風量Ｑを確保するには最良といえる。
Ａ３≪Ａ２又はＡ３≒０
【００１１】
実験結果によれば、図６に示すような吸入ダクトのアスペクト比δ＝３．１の場合の風量特性が得られた。吸入口１１の内周面１１ａから吸入ダクト７の端面７ａまでの距離Ａ３が長くなれば風量Ｑが小さくなり、又、短くなれば当該風量が大きく、つまり所期の風量Ｑを確保できることが判明した。当該風量特性は、吸入ダクト７と吐出ダクト９が同方向又は逆方向に配置された場合もほぼ同じ傾向であることが分った。尚、前記アスペクト比δとは、図３に示す吸入ダクト７の例でいえば、横幅Ｗ１、縦長Ｗ２とすれば、δ＝Ｗ２／Ｗ１である。而して、吸入ダクト７及び吐出ダクト９に流過する吸入気流Ｂ3及び吐出気流Ｂ４の風量Ｑが従来技術のものより、大幅に大きくなることが判明した。尚、前記吸入口１１の内周面１１ａから前記吸入ダクト７の端面７ａまでの距離Ａ３は前記吸入ダクト７の形状、寸法や所望風量Ｑの値等により、適宜設定されるものである。
【００１２】
上述した本発明に係る遠心形送風機の吸込口配置構造の実施の形態１の動作を説明する。前記駆動部１０に通電すれば、当該駆動部１０は前記羽根車６ａを回転制御する。而して、図２に示すように、吸入ダクト７内に吸入気流Ｂ３が流過され、吸入気流Ｓ９、Ｓ１０が旋回流を生ずることなく、前記吸入口１１に円滑に流れ込みそして、前記吐出ダクト９から吐出気流Ｂ４が流過される。この場合、前記吸入気流Ｂ３及び吐出気流Ｂ４の風量Ｑは風量低下や騒音又は振動を惹起することなく、所定の風量Ｑを確保できた。
【００１３】
【発明の実施の形態２】
図３は、本発明に係る遠心形送風機の吸込口配置構造の実施の形態２であって、斜視図を示すものである。これについて説明する。１２は閉塞板であって、前記吸入ダクト７の吸入口１１に隣接配置している。該閉塞板１２は吸入ダクト７と同材質の部材又は他の金属等で構成され、該吸入ダクト７の端面７ａに密着して介入すると共に、閉塞板１２の表面１２ａと前記吸入口１１の内周面１１ａとの距離Ａ４と前記実施の形態１で説明した距離Ａ３と略同一の長さとなるような位置に設置される。而して、前記閉塞板１２を前記吸入ダクト７の端面７ａに介在させることにより、該閉塞板１２の表面１２ａと前記吸入口１１の内周面１１ａとの距離Ａ４が極めて短かく設定でき、設計寸法上可能な限り零にすることが望ましい。前記した従来の技術に於いて、吸入口２の内周面２ａから吸入ダクト３の端面３ａまでの距離Ａ２とすれば、前記吸入ダクト７や吐出ダクト９に流過する所定量の風量Ｑを確保するためには、次の関係式を備えた遠心形送風機５が最良といえる。Ａ４≪Ａ２又はＡ４≒０である。
【００１４】
他の構成要素等は前記発明の実施の形態１と略同一であるので説明を省略する。又、当該発明の実施の形態２は従来の技術に於ける吸入ダクト３をそのまま利用し、該吸入ダクト３の端部に前記閉塞板１２を敷設又は載置するのみで実施可能であり、既存設備をそのまま活用する利点がある。
【００１５】
次に上述した本発明に係る遠心形送風機の吸込口配置構造の実施の形態２の動作は、前記した実施の形態１と略同一であるので説明を省略する。
【００１６】
【発明の実施の形態３】
図４は本発明に係る遠心形送風機の吸込口配置構造の実施の形態３であって、模式図を示すものである。１３は前記吸入ダクト７空間内を例えば上下に画成するように吸入口１１の開口部略中央の例えば水平位置に配置した分離板である。該分離板１３は該吸入ダクト７と同材質又は他の金属の部材等で構成され、前記吸入口１１の開口部前面から流入する吸入気流Ｂ５を２分して吸入気流Ｂ６、Ｂ７を流過するようにしている。他の構成要素は前記発明の実施の形態１と略同一であるので説明を省略する。
【００１７】
上述した本発明に係る遠心形送風機の吸込口配置構造の実施の形態３の動作を説明する。前記駆動部１０に通電すれば、当該駆動部１０は前記羽根車６ａを回転制御する。而して、図４に示すように吸入ダクト７内に吸入気流Ｂ５が流過され、前記分離板１３によって２分された吸入気流Ｂ６、Ｂ７が旋回流を伴うことなく、前記吸入口１１に円滑に流れ込む。そして、前記吐出ダクト９から吐出気流が流れ、吸入気流Ｂ６、Ｂ７は風量低下や騒音又は振動を惹起することなく所定の風量Ｑを確保できる。
【００１８】
【発明の実施の形態４】
図５（ａ）（ｂ）は本発明に係る遠心形送風機の吸込口配置構造の実施の形態４であって、模式図を示すものである。図５（ｃ）は図５（ａ）の垂直断面図を示している。当該実施の形態４は前記実施の形態３に構成を追加したものである。図５（ａ）は前記分離板１３に単一の直交する板を備えた実施例であり、図５（ｂ）は前記分離板１３に２個の直交する板を備えた実施例である。
【００１９】
先ず、前記図５（ａ）について説明する。１４は前記分離板１３の略中央であって、直交して配置した板である。該直交する板１４は、前記分離板１３と同材質又は他の金属の部材等で構成され、前記吸入口１１の開口部に設置されかつ前記吸込ダクト７空間内を４つに区分した構成とし、前記吸入口１１の開口部前面から流入する吸入気流Ｂ８を４分して、吸入気流Ｂ９、Ｂ１０、Ｂ１１及びＢ１２を流過するようにしている。尚、実施例によれば、前記分離板１３の幅Ｗ４及び直交する板１４の幅Ｗ５と前記吸入ダクトの幅Ｗ３との関係は図５（ｃ）に示すようにＷ４＝（１／１〜１／４）Ｗ３、Ｗ５＝（１／２〜１／３）Ｗ３であることが好適のものと判明した。他の構成要素は前記発明の実施の形態１と略同一であるので説明を省略する。図５（ａ）に示す遠心形送風機５の動作を説明すれば、図５（ａ）に示すように吸入ダクト７内に吸入気流Ｂ８が流過され、前記分離板１３及び分離板と直交する板１４によって、４区分された吸入気流Ｂ９、Ｂ１０、Ｂ１１及びＢ１２が旋回流を伴うことなく、前記吸入口１１に円滑に流れ込む。そして、前記吐出ダクト９から吐出気流が流れ、吸入気流Ｂ８〜Ｂ１２は風量低下や騒音又は振動を惹起することなく、所定の風量Ｑを確保できる。
【００２０】
次に、前記図５(ｂ)について説明する。図５（ｂ）に示す実施例は図５（ａ）に示すものの変形例であって、前記分離板と直交する板１４を２枚備えたものである。１４ａ、１４ｂは前記吸入口１１を３等分してお互いに間隔を有してなる直交する板である。該直交する板１４ａ、１４ｂは前記分離板１３と同材質又は他の金属の部材等で構成され、吸入口１１の開口部に設置されかつ前記の吸込ダクト７空間内を６つに区分した構成とし、前記吸入口１１の開口部前面から流入する吸入気流Ｂ１３を６分して吸入気流Ｂ１４〜Ｂ１９を流過するようにしている。他の構成要素は、前記発明の実施の形態１と略同一であるので説明を省略する。尚、上記直交する板１４は２枚に限定されず３〜４枚等の多数又は複数本を配置してもよい。図５（ｂ）に示す遠心形送風機５の動作を説明すれば、図５（ｂ）に示すように吸入ダクト７内に吸入気流Ｂ１３が流過され、前記分離板１３及び分離板と直交する板１４ａ、１４ｂによって６区分された吸入気流Ｂ１４〜Ｂ１９が旋回流を伴うことなく、前記の吸入口１１に円滑に流れ込む。そして、前記吐出ダクト９から吐出気流が流れ、吸入気流Ｂ１３〜Ｂ１９や吐出気流の風量Ｑは風量低下や騒音又は振動を惹起することなく所定の風量を確保できる。
【００２１】
【発明の効果】
本発明に係る遠心形送風機の吸込口配置構造は叙上の構成、動作を有するので次の効果がある。
【００２２】
請求項１記載の発明によれば、ケーシングに収容された羽根車と、該羽根車を回転制御する駆動部と、該ケーシングの吸入口に接続されると共に該羽根車の軸芯と直交位置に配置された吸入ダクトと、該ケーシングの吐出口に接続された吐出ダクトとを備えた遠心形送風機に於いて、前記ケーシングの吸入口を前記吸入ダクトの奥行端部に隣接して接続し、該ケーシングの吸入口開口部の略中央であって、該吸入ダクトの前記羽根車の軸芯方向に対する幅Ｗ３として空間内を区分する分離板の幅Ｗ４と、該分離板に直交する板の幅Ｗ５との関係がＷ４＝（１／１〜１／４）Ｗ３及びＷ５＝（１／２〜１／３）Ｗ３であることを特徴とする遠心形送風機の吸込口配置構造を提供する。
このような構成としたので、吸入ダクト内に旋回流を発生させることが少なく、振動や騒音を抑制すると共に風量低下を防止し、最適な所定の風量を確保できるものである。
【００２３】
請求項２記載の発明によれば、前記ケーシングの吸入口開口部に隣接して閉塞板を吸入ダクトの端部に配置したことを特徴とする請求項１記載の遠心形送風機の吸込口配置構造を提供する。
このような構成としたので、既存の吸入ダクトの端部に閉塞板を介設して構成することができ、新規以外の既存の遠心形送風機にも適用できる効果がある。
【図面の簡単な説明】
【図１】本発明に係る遠心形送風機の吸込口配置構造の実施の形態１を示す図面である。（ａ）は平面図、（ｂ）は一部を切欠した側面図である。
【図２】本発明に係る遠心形送風機の吸込口配置構造の実施の形態１を示すものであって、その風量動作を示す模式図である。
【図３】本発明に係る遠心形送風機の吸込口配置構造の実施の形態２を示す斜視図である。
【図４】本発明に係る遠心形送風機の吸込口配置構造の実施の形態３を示すものであってその風量動作を示す模式図である。
【図５】本発明に係る遠心形送風機の吸込口配置構造の実施の形態４を示すものであってその風量動作を示す模式図であって、（ａ）は吸入ダクトの空間内を４つに画成した図、（ｂ）は吸入口ダクトの空間内を６つに画成した図、（ｃ）は（ａ）の垂直断面図である。
【図６】本発明に係る遠心形送風機に於ける吸入ダクトのアクスペクト比３．１の場合の風量特性図である。
【図７】従来の技術に於ける遠心形送風機の吸込口配置構造を示す斜視図である。
【図８】従来の技術に於ける遠心形送風機の吸込口配置構造を示すものであってその風量動作を示す模式図である。
【符号の説明】
５      遠心形送風機
６      略偏心筒形ケーシング
６ａ    羽根車
７      吸入ダクト
７ａ    吸入ダクトの端面
８      吐出口
９      吐出ダクト
１０    駆動部
１０ａ  ファンベルト
１１    吸入口
１１ａ  吸入口の内周面
１２    閉塞板
１２ａ  閉塞板の表面
１３    分離板
１４、１４ａ、１４ｂ  分離板に直交する板
Ａ３    吸入口内周面から吸入ダクトの端面までの距離
Ａ４    吸入口内周面から閉塞板の表面までの距離
Ｂ１、Ｂ３  吸入気流
Ｂ２、Ｂ４  吐出気流
Ｂ３、Ｂ５〜Ｂ１９、Ｓ９、Ｓ１０  吸入気流
Ｓ１〜Ｓ７  気流
Ｑ      風量
【図１】
0003757124.tif 000002
【図２】
0003757124.tif 000003
【図３】
0003757124.tif 000004
【図４】
0003757124.tif 000005
【図５】
0003757124.tif 000006
【図６】
0003757124.tif 000007
【図７】
0003757124.tif 000008
【図８】
0003757124.tif 000009